【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
始動入賞に基づいて抽選を行う抽選手段を有し、該抽選手段による抽選にて所定の結果が得られた場合は遊技者に利益を付与可能な遊技機において、
前記抽選手段による抽選の結果には、条件装置の作動を伴う当りと、条件装置の作動を伴わない当りとが含まれており、
前記抽選手段による抽選に際し、前記条件装置の作動を伴う当りの当選確率を相対的に低く設定した第１遊技様態と、この第１遊技様態よりも前記条件装置の作動を伴う当りの当選確率を倍以上に高く設定した第２遊技様態とを、前記条件装置の作動を伴う当りに当選されたことを条件に相互に変更可能とする当選確率変更手段と、
遊技者に利益を付与するための１つの動作として、所定の可動体の作動によって遊技球の受け入れが容易化される球入賞手段と、
前記抽選手段による抽選の結果、前記条件装置の作動を伴う当りのうちの第１当りが当選された場合、前記当選確率変更手段による前記第２遊技様態への変更と、前記可動体の作動による前記球入賞手段での遊技球の受け入れの容易化により賞球を得る機会とを提供する第１の利益を遊技者に付与する第１利益付与手段と、
前記抽選手段による抽選の結果、前記条件装置の作動を伴う当りのうちの第２当りが当選された場合、前記当選確率変更手段による前記第２遊技様態への変更を行うとともに、前記球入賞手段にて前記可動体を作動させるにもかかわらず、前記第１利益付与手段の場合とは異なり前記球入賞手段での遊技球の受け入れが困難な態様で前記可動体を作動させて賞球を得る機会を提供することにより、前記第１の利益よりも価値の低い第２の利益を遊技者に付与する第２利益付与手段と、
前記抽選手段による抽選の結果が前記条件装置の作動を伴わない当りである場合、前記当選確率変更手段による遊技様態の変更が行われることなく、前記第２利益付与手段と同一か、もしくは近似した前記遊技球の受け入れが困難な態様で前記可動体を作動させて賞球を得る機会を提供する前記第２の利益とは異なる第３の利益を遊技者に付与する第３利益付与手段と、
前記抽選手段による抽選の結果情報が表示される表示装置と、
前記表示装置にて表示される前記結果情報についての表示制御を行う表示制御手段と、を備え、
前記表示制御手段は、
前記抽選手段による抽選結果が前記第２当りおよび前記条件装置の作動を伴わない当りのいずれかであるときは、当該抽選結果が前記第２当りであるのか前記条件装置の作動を伴わない当りであるのかを区別することが困難な表示態様で前記結果情報を表示する一方で、
前記抽選手段による抽選結果が前記第１当りであるときは、当該抽選結果が第１当りであることを区別しやすい表示態様で前記結果情報を表示可能である
ことを特徴とする遊技機。
【請求項２】
前記抽選手段は、前記始動入賞があったときに取得される乱数値に基づいて前記抽選を行うものである
ことを特徴とする請求項１に記載の遊技機。
【請求項３】
前記抽選手段は、前記第１遊技様態にあるときは、前記第２当りよりも前記条件装置の作動を伴わない当りのほうが高い確率で当選されるように前記抽選を行う
ことを特徴とする請求項１または２に記載の遊技機。
【手続補正２】
【補正対象書類名】明細書
【補正対象項目名】００１１
【補正方法】変更
【補正の内容】
【００１１】
（解決手段１）
本発明の遊技機は、始動入賞に基づいて抽選を行う抽選手段を有し、該抽選手段による抽選にて所定の結果が得られた場合は遊技者に利益を付与可能な遊技機において、前記抽選手段による抽選の結果には、条件装置の作動を伴う当りと、条件装置の作動を伴わない当りとが含まれており、前記抽選手段による抽選に際し、前記条件装置の作動を伴う当りの当選確率を相対的に低く設定した第１遊技様態と、この第１遊技様態よりも前記条件装置の作動を伴う当りの当選確率を倍以上に高く設定した第２遊技様態とを、前記条件装置の作動を伴う当りに当選されたことを条件に相互に変更可能とする当選確率変更手段と、遊技者に利益を付与するための１つの動作として、所定の可動体の作動によって遊技球の受け入れが容易化される球入賞手段と、前記抽選手段による抽選の結果、前記条件装置の作動を伴う当りのうちの第１当りが当選された場合、前記当選確率変更手段による前記第２遊技様態への変更と、前記可動体の作動による前記球入賞手段での遊技球の受け入れの容易化により賞球を得る機会とを提供する第１の利益を遊技者に付与する第１利益付与手段と、前記抽選手段による抽選の結果、前記条件装置の作動を伴う当りのうちの第２当りが当選された場合、前記当選確率変更手段による前記第２遊技様態への変更を行うとともに、前記球入賞手段にて前記可動体を作動させるにもかかわらず、前記第１利益付与手段の場合とは異なり前記球入賞手段での遊技球の受け入れが困難な態様で前記可動体を作動させて賞球を得る機会を提供することにより、前記第１の利益よりも価値の低い第２の利益を遊技者に付与する第２利益付与手段と、前記抽選手段による抽選の結果が前記条件装置の作動を伴わない当りである場合、前記当選確率変更手段による遊技様態の変更が行われることなく、前記第２利益付与手段と同一か、もしくは近似した前記遊技球の受け入れが困難な態様で前記可動体を作動させて賞球を得る機会を提供する前記第２の利益とは異なる第３の利益を遊技者に付与する第３利益付与手段と、前記抽選手段による抽選の結果情報が表示される表示装置と、前記表示装置にて表示される前記結果情報についての表示制御を行う表示制御手段と、を備え、前記表示制御手段は、前記抽選手段による抽選結果が前記第２当りおよび前記条件装置の作動を伴わない当りのいずれかであるときは、当該抽選結果が前記第２当りであるのか前記条件装置の作動を伴わない当りであるのかを区別することが困難な表示態様で前記結果情報を表示する一方で、前記抽選手段による抽選結果が前記第１当りであるときは、当該抽選結果が第１当りであることを区別しやすい表示態様で前記結果情報を表示可能としたものである。
【手続補正３】
【補正対象書類名】明細書
【補正対象項目名】００１２
【補正方法】変更
【補正の内容】
【００１２】
本発明の遊技機は、上記３種類の利益（第１の利益、第２の利益、第３の利益）を遊技者に付与可能であるが、いずれの利益を付与するかは抽選結果に応じて異なったものとなる。このうち、例えば第１の利益が遊技者の獲得できる出玉量に直接関係する内容であるとともに、その後の当選確率を高く変更する特典付きの内容であったとすると、これに比較して第２の利益は第１の利益よりも価値が低く、出玉量の増加には直接関係しないものとなっている。ただし、第２の利益によってそれほど多くの出玉量が得られなくても、その後の当選確率が高く変更される内容であるとすると、それによって遊技者は次の当選に対する期待感を高めることができる。
【手続補正４】
【補正対象書類名】明細書
【補正対象項目名】００１３
【補正方法】変更
【補正の内容】
【００１３】
なお、本遊技機では、抽選結果が第２当りおよび条件装置の作動を伴わない当りのいずれかであるときは、当該抽選結果が第２当りであるのか条件装置の作動を伴わない当りであるのかを区別することが困難な表示態様で結果情報を表示する。その一方で、抽選結果が第１当りであるときは、当該抽選結果が第１当りであることを区別しやすい表示態様で結果情報を表示することで、当選種類を読みとれる可能性を残している。
【手続補正５】
【補正対象書類名】明細書
【補正対象項目名】００１４
【補正方法】変更
【補正の内容】
【００１４】
また、第２の利益のように条件装置の作動を伴う当りの当選確率を高く変更するものは確かに遊技者にとって価値あるものには違いないが、遊技機の内部的に当選確率が高く変更されるだけでは遊技者に目に見えて恩恵が感じられにくいため、そこに何らかの挙動（役物の作動や演出の実施等）が組み合わされることが好ましい。したがって、第２の利益を付与する場合、遊技者がそれと分かるような挙動を示すことで遊技者に期待感がもたらされる。このような挙動を通じて第２の利益が付与されていることを遊技者が認識（推測）すると、その場では目立った出玉量を獲得できなくても、いずれ早いうちに第１の利益に当選することで多くの出玉が獲得できることを期待しながら遊技を継続することができる。
【手続補正６】
【補正対象書類名】明細書
【補正対象項目名】００１５
【補正方法】変更
【補正の内容】
【００１５】
ただし、第２の利益は条件装置の作動を伴う当りの当選確率そのものを高くする内容であるため、あまり頻繁に第２の利益を遊技者に付与することは遊技仕様からみて現実的でない。そうかといって、第２の利益が極希にしか付与されないのであれば、それは遊技者にとってレアな特典として存在そのものが希薄化してしまい、かえって期待感を遠ざけることとなる。
【手続補正７】
【補正対象書類名】明細書
【補正対象項目名】００１６
【補正方法】変更
【補正の内容】
【００１６】
そこで、この点を高次元に解決する手段として、本発明の遊技機では第３の利益を遊技者に付与するものとし、この第３の利益の内容を第２の利益と同等のものか、もしくは近似した内容としている。具体的には、条件装置の作動を伴う当りのうちの第２当りに当選された場合は（第２の利益）、条件装置の作動を伴う当りの当選確率を高く変更することに加えて、何らかの挙動（役物の作動や演出動作）が提供されることとなるが、条件装置の作動を伴わない当りに当選された場合は（第３の利益）、条件装置の作動を伴う当りの当選確率の変更は行われずに、第２の利益の場合と同じか、または、これに似通った挙動が示されるだけとなっている。このような第３の利益は、条件装置の作動を伴う当りの当選確率そのものを高くする内容のものではないため、これを適度な頻度で出現させても遊技仕様を大きく歪めることはない。しかしながら、第３の利益が付与された場合に遊技者に目に見える挙動は第２の利益の場合と区別が付きにくいため、遊技者が第３の利益に接した場合、果たしてそれが第３の利益によるものであるのか、あるいは第２の利益によるものであるのかを直ちに見極めることはできない。
【手続補正８】
【補正対象書類名】明細書
【補正対象項目名】００１７
【補正方法】変更
【補正の内容】
【００１７】
したがって、遊技者が第２の利益によって条件装置の作動を伴う当りの当選確率が高くなることを知っていた場合、実際には第３の利益が付与されていた場合であっても、それが第２の利益であった（確率が高くなった）かもしれないという期待感を抱くことで、次の当選が得られるまでの期待感や遊技意欲を高く維持し続けることができる。あるいは、しばらくの間は第１の利益や第２の利益が得られず、次第に諦めかけていたとしても、そのまま僅かな期待感をもって遊技を継続しているうちに第３の利益に当選することがあり、この場合は「今度こそ第２の利益が付与されたかもしれない」との期待感が沸々と復活してきて、なかなか遊技意欲が減退しにくくなる。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
すなわち、第１の利益および第２の利益が付与されると、いずれも入賞機会が増えることによって出玉増加という具体的な利益を遊技者は得ることができるが、第１の利益に比較すると第２の利益の方が入賞機会としては少ない。ただし、第１の利益または第２の利益が付与された場合は、遊技様態が第２遊技様態に変更されて実際に当選確率が有利なものとなるので、遊技者は次の当選までの期待感を高く維持することができる。また、第２の利益または第３の利益が付与された場合は、いずれも可動体の作動が同じか、または互いに近似した挙動として現れるため、それによって遊技者が第２の利益または第３の利益が付与されたことを認識することができる。したがって、実際には第３の利益であったとしても、遊技者の認識中には第２の利益が付与されたことへの期待感が少なからず芽生えるため、次の当選が得られるまでの期待感や遊技意欲を高く維持し続けることができる。
【手続補正１１】
【補正対象書類名】明細書
【補正対象項目名】００２０
【補正方法】変更
【補正の内容】
【００２０】
（解決手段２）
上記の解決手段１において、前記抽選手段は、前記始動入賞があったときに取得される乱数値に基づいて前記抽選を行うものであることが好ましい。
【手続補正１２】
【補正対象書類名】明細書
【補正対象項目名】００２１
【補正方法】変更
【補正の内容】
【００２１】
（解決手段３）
上記の解決手段１または２において、抽選手段は、第１遊技様態にあるときは、第２当りよりも条件装置の作動を伴わない当りのほうが高い確率で当選されるように抽選を行う
ものであることが好ましい。
【手続補正１３】
【補正対象書類名】明細書
【補正対象項目名】００２２
【補正方法】変更
【補正の内容】
【００２２】
なお、上記の解決手段１〜３において、前記第１遊技様態において前記条件装置の作動を伴う当りのうちの前記第１当りが当選する確率に比較して、前記条件装置の作動を伴わない当りが当選する確率が倍以上（または２倍以上）に高く設定されているとともに、前記当選確率変更手段により前記第１遊技様態から前記第２遊技様態に変更された場合、前記第１遊技様態において前記条件装置の作動を伴わない当りの当選する確率が変更されることなく、前記第１遊技様態において前記条件装置の作動を伴う当りのうちの前記第１当りが当選する確率が倍以上（または２倍以上）に高く変更されるものであることが好ましい。
【手続補正１４】
【補正対象書類名】明細書
【補正対象項目名】００２３
【補正方法】変更
【補正の内容】
【００２３】
この場合、相対的に当選確率が低い方の第１遊技様態においては、遊技者に第１の利益が付与される確率よりも第３の利益が付与される確率が倍以上（または２倍以上）高く設定されることになるため、第３の利益の出現率が相対的に高くなり、たとえ低確率時であっても次の当選までの期待感を維持し続ける機会に多く接することができる。
【手続補正１５】
【補正対象書類名】明細書
【補正対象項目名】００２４
【補正方法】変更
【補正の内容】
【００２４】
あるいは、相対的に当選確率が高い第２遊技様態に変更されると、第３の利益が付与される確率はそのままで、第１の利益が付与される確率が倍以上に高く設定されることになるため、実際に遊技者は第１の利益によって多くの出玉を得る機会に多く接することができ、期待したとおりの抽選結果を実感することができる。
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】